【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】  遊技を行う際に作動する制御基板が遊技盤の背面側に取り付けられた遊技機において、
前記遊技盤の背面側に設けられ、下辺が上辺よりも前記制御基板の厚み分突出し、前記上辺に前記制御基板の一方の面が押し当てられる矩形状の枠部材と、
前記枠部材の内面でその下面に設けられ、前記上辺に押し当てられた前記制御基板の下縁部に当接する当接片と、
前記枠部材の上方に設けられ、前記枠部材に押し当てた前記制御基板の上縁部に係止して前記制御基板を保持する保持位置と前記保持を解除する解除位置との間で、その弾性によって変位する係止爪と、
前記枠部材の下辺に設けられ、前記当接片との隙間で前記制御基板を狭持する狭持部材とを備え、
前記制御基板は前記当接片と前記狭持部材との間に差し込まれてから前記係止爪によって保持されることを特徴とする遊技機。
【請求項２】  前記係止爪は、前記保持位置と前記解除位置との間で上下方向に変位することを特徴とする請求項１記載の遊技機。
【請求項３】  前記狭持部材は、前記当接片に当接した前記制御基板の下縁部に係止して前記制御基板を保持する保持位置と前記保持を解除する解除位置との間で、その弾性によって前後方向に変位することを特徴とする請求項１又は２記載の遊技機。
【請求項４】  前記係止爪は、その先端部で且つ前記制御基板の縁部を係止する側の面が、先端に向かうにつれて次第に前記係止爪の肉厚が減少するように傾斜されていることを特徴とする請求項１ないし３記載の遊技機。
【請求項５】  前記遊技盤の背面に取り付けられ、前記制御基板を支持する支持部材を備えるとともに、前記支持部材は前記係止爪と前記狭持部材とを備えていることを特徴とする請求項１〜４のいずれか１つに記載の遊技機。
【請求項６】  前記枠部材に前記制御基板が保持されているとき、前記枠部材の１方の開口を前記支持部材の背面が塞ぎ、他方の開口を前記制御基板が塞ぐことを特徴とする請求項５記載の遊技機。
【手続補正２】
【補正対象書類名】明細書
【補正対象項目名】０００６
【補正方法】変更
【補正の内容】
【０００６】
【課題を解決するための手段】
上記目的を達成するために、本発明の遊技機は、遊技を行う際に作動する制御基板が遊技盤の背面側に取り付けられた遊技機において、前記遊技盤の背面側に設けられ、下辺が上辺よりも前記制御基板の厚み分突出し、前記上辺に前記制御基板の一方の面が押し当てられる矩形状の枠部材と、前記枠部材の内面でその下面に設けられ、前記上辺に押し当てられた前記制御基板の下縁部に当接する当接片と、前記枠部材の上方に設けられ、前記枠部材に押し当てた前記制御基板の上縁部に係止して前記制御基板を保持する保持位置と前記保持を解除する解除位置との間で、その弾性によって変位する係止爪と、前記枠部材の下辺に設けられ、前記当接片との隙間で前記制御基板を狭持する狭持部材とを備え、前記制御基板は前記当接片と前記狭持部材との間に差し込まれてから前記係止爪によって保持されることを特徴とするものである。これにより、ネジ等の別部品を用いずに基板を支持部材に装着することができ、また、ドライバー等の特別な工具を用いずに基板を支持部材から取り外すことができるようになり、低コストで且つ簡便に基板を支持部材に着脱させることができる遊技機を提供することができる。
【手続補正３】
【補正対象書類名】明細書
【補正対象項目名】０００７
【補正方法】変更
【補正の内容】
【０００７】
また、前記係止爪は、前記保持位置と前記解除位置との間で上下方向に変位することが好適である。これにより、基盤の縁部を係止爪に係止させるだけで容易に保持部が基板を保持することができる。
【手続補正４】
【補正対象書類名】明細書
【補正対象項目名】０００８
【補正方法】変更
【補正の内容】
【０００８】
また、前記狭持部材は、前記当接片に当接した前記制御基板の下縁部に係止して前記制御基板を保持する保持位置と前記保持を解除する解除位置との間で、その弾性によって前後方向に変位することが好適である。これにより、係止爪が撓むことによって保持位置より解除位置に変位し、撓んだ状態から復帰することで解除位置より保持位置に変位することができるようになり、保持部を変位させるための機構等を別途に設ける必要が無いので、構成を単純化でき、保持部の製造コストを低減することができる。
【手続補正５】
【補正対象書類名】明細書
【補正対象項目名】０００９
【補正方法】変更
【補正の内容】
【０００９】
また、前記係止爪は、その先端部で且つ前記制御基板の縁部を係止する側の面が、先端に向かうにつれて次第に前記係止爪の肉厚が減少するように傾斜されていることが好適である。これにより、基板を枠部材に装着するときに、傾斜されている面を基板で押圧するだけで係止爪を解除位置に変位させることができ、基板の装着を容易とすることができる。
【手続補正６】
【補正対象書類名】明細書
【補正対象項目名】００１０
【補正方法】変更
【補正の内容】
【００１０】
また、前記遊技盤の背面に取り付けられ、前記制御基板を支持する支持部材を備えるとともに、前記支持部材は前記係止爪と前記狭持部材とを備えていることが好適である。これにより、基板の縁部を枠部材と狭持部材とで狭持するだけで容易に保持部が基板を保持することができる。
【手続補正７】
【補正対象書類名】明細書
【補正対象項目名】００１１
【補正方法】変更
【補正の内容】
【００１１】
また、前記枠部材に前記制御基板が保持されているとき、前記枠部材の１方の開口を前記支持部材の背面が塞ぎ、他方の開口を前記制御基板が塞ぐことが好適である。これにより、枠部材の内側が閉塞された空間となり、基板の該空間内にある部分に対する電気的保安性を保つことができ、したがって、基板用のケースを別途用意する必要がなく、遊技機内の部品点数や、遊技機内におけるケース等の設置場所を節約することができる。
【手続補正８】
【補正対象書類名】明細書
【補正対象項目名】００３１
【補正方法】変更
【補正の内容】
【００３１】
【発明の効果】
以上のように、請求項１記載の発明によれば、ネジ等の別部品を用いずに基板を支持部材に取り付けることができ、また、ドライバー等の特別な工具を用いずに基板を支持部材から取り外すことができるようになり、低コストで且つ簡便に基板を支持部材に着脱させることができる遊技機を提供することができる。
【手続補正９】
【補正対象書類名】明細書
【補正対象項目名】００３２
【補正方法】変更
【補正の内容】
【００３２】
また、請求項２記載の発明によれば、基盤の縁部を係止爪に係止させるだけで容易に保持部が基板を保持することができる。
【手続補正１０】
【補正対象書類名】明細書
【補正対象項目名】００３３
【補正方法】変更
【補正の内容】
【００３３】
また、請求項３記載の発明によれば、撓むことによって保持位置より解除位置に変位し、撓んだ状態から復帰することで解除位置より保持位置に変位することができるようになり、保持部を変位させるための機構等を別途に設ける必要が無いので、構成を単純化でき、保持部の製造コストを低減することができる。
【手続補正１１】
【補正対象書類名】明細書
【補正対象項目名】００３４
【補正方法】変更
【補正の内容】
【００３４】
また、請求項４記載の発明によれば、基板を枠部材に装着するときに、傾斜されている面を基板で押圧するだけで係止爪を解除位置に変位させることができ、基板の取り付けを容易とすることができる。
【手続補正１２】
【補正対象書類名】明細書
【補正対象項目名】００３５
【補正方法】変更
【補正の内容】
【００３５】
また、請求項５記載の発明によれば、基板の縁部を枠部材と狭持部材とで狭持するだけで容易に保持部が基板を保持することができる。
【手続補正１３】
【補正対象書類名】明細書
【補正対象項目名】００３６
【補正方法】変更
【補正の内容】
【００３６】
また、請求項６記載の発明によれば、枠部材の内側が閉塞された空間となり、基板の該空間内にある部分に対する電気的保安性を保つことができ、したがって、基板用のケースを別途用意する必要がなく、遊技機内の部品点数や、遊技機内におけるケース等の設置場所を節約することができる。